Podtech/llm-jp-corpus-v4-ja_patent huggingface dataset:
(57)【要約】【課題】    不審者又はストーカーなどに襲われた場合の、防犯ブザーと非常灯を提供する。【解決手段】  履物（１１）の前側にライト（３）をとりつけて、内側の側面にライト用スイッチ（５）と防犯ブザー用スイッチ（４）を設けて、防犯ブザー電源ケース（１）の差込み口（７）にコネクター（６）を差し込んでポケット（９）にしまい、手を使わずに足だけで操作することができることを特徴とする。【選択図】      図３
2005261898.tif 000002
【特許請求の範囲】
【請求項１】
履物（１１）の前側にライト（３）をとりつけて、側面に防犯ブザー用押しボタンスイッチ（４）とライト用押しボタンスイッチ（５）を設けて、これらの電気配線コネクター（６）をポケット（９）から出して、防犯ブザー電源ケース（１）の差込み口（７）に差込み、メインスイッチ（２）を入れてポケット（９）にしまう、ライトと防犯ブザーをとりつけた履物。
【発明の詳細な説明】
【発明の詳細な説明】
【技術分野】
【０００１】  この発明は、不審者またはストーカーなどに襲われた場合のための防犯ブザーと非常灯に関するものである。
【背景技術】
【０００２】  従来、防犯ブザーは、ピンについた紐をひく、または、引き抜くと音が出るもので、ライトも手で持たなければならなかった。
【発明が解決しようとする課題】
【０００３】  これは次のような欠点があった。
イ．防犯ブザーをカバンにつけたり、衣類のポケットに入れたりして持ち歩くのに大変不便であった。
ロ．暗い夜道を歩く場合や非常の場合などライトを持ち歩くのに大変不便であった。
本発明は、以上の欠点を解決するためになされたものである。
【課題を解決するための手段】
【０００４】  履物（１１）の前側にライト（３）をとりつけて、内側の側面にライト用スイッチ（５）と防犯ブザー用スイッチ（４）をとりつける。
これらの電気配線（８）をポケット（９）から出してコネクター（６）で処理をする。防犯ブザー電源ケース（１）のコネクター差込み口（７）にコネクター（６）を差込み、メインスイッチ（２）をいれてポケット（９）にしまい、チャック（１０）をとじる。
本発明は、以上の構成よりなる防犯ブザーとライトをとりつけた履物である。
【発明を実施するための最良の形態】
【０００５】以下、本発明の実施の形態を説明する。
（イ）履物（１１）の前側にライト（３）をとりつける。
（ロ）内側の側面に、ライト用スイッチ（５）と防犯ブザー用スイッチ（４）をとりつける。
（ハ）ポケット（９）からこれらの電気配線（８）をだしてコネクター（６）処理をする。
（ニ）防犯ブザー電源ケース（１）にメインスイッチ（２）とコネクター差込み口（７）を設ける。
（ホ）防犯ブザー（１）のコネクター差込み口（７）にコネクター（６）を差込みポケット（９）にしまいチャック（１０）をとじる。
本発明は、以上の構成よりなっている。
本発明を使用するときは、履物をはき片方の履物で防犯ブザー用スイッチ（４）を押すとＯＮでブザーが鳴り、もう一度押すとＯＦＦになる。また、ライト用スイッチ（５）を押すとライトがＯＮでつき、もう一度押すとＯＦＦになる。
【発明の効果】
【０００６】本発明を使用することによって、防犯ブザーとライトを持ち歩く必要がなくなり、しかも、手を使わずに足だけで操作することができるから、いざというときに非常に役に立つ。
【図面の簡単な説明】
【図１】本発明の分解斜視図
【図２】本発明のとりつけ状態を示す斜視図
【図３】本発明を使用する状態を示す斜視図
【符号の説明】
１  防犯ブザー電源ケース
２  メインスイッチ
３  ライト
４  防犯ブザー用押しボタンスイッチ
５  ライト用押しボタンスイッチ
６  電気配線コネクター
７  電気配線コネクター差込み口
８  電気配線（電線ケーブル）
９  防犯ブザー収納ポケット
１０  チャック
１１  履物
【図１】
2005261898.tif 000003
【図２】
2005261898.tif 000004
【図３】
2005261898.tif 000005
(57)【要約】      （修正有）【課題】靴下同様に、足に装着することによる、手軽に内股や外股を矯正が出来るグッズを提供する。【解決手段】ゴム紐による靴下前半を作成し、足面を三角形に呈する。足首は靴下の上部と同様にし、後ろと両側部分に硬質のある物質を入れ、裏地に薄い綿をを入れる。両側に金具を設置し、ゴム布により連結し、上部の移動を防止する。【選択図】なし【特許請求の範囲】
【請求項１】
この発明は、靴下を履くと同様、手軽に足に装着の出来るもので、ゴム紐の伸縮性により足の向き方向を調節し、容易に内股や外股の矯正が出来ることを特徴とする。
【発明の詳細な説明】
【技術分野】
【０００１】この発明は、内股または外股の矯正或いは生成防止グッツに関する。
【技術背景】
【０００２】街中に内股や外股の人が多く存在する。
治療しにくく、治療費が高く思われる。
【発明の開示】
【発明が解決しようとする課題】
【０００３】生活習慣による、長い間に渡って形成される内股や外股。
治療しにくく、治療費が高く思われる。
そこで、この発明は、靴下同様に、足に装着することにより、手軽に内股や外股を矯正が出来るを提供することを課題とする。
【課題を解決するための手段】
【０００４】以上の課題を解決するために、ゴム紐の伸縮性による足指と足首の距離を調節し、足の方向向きを矯正する。
また、足首の裏と踵に硬い物質を入れ、関節の動きを正し、正すことを特徴とするグッツ。
【発明の効果】
【０００５】この発明によれば、足指と足首の距離を調節し、足首の関節の動きを制限し、足の方向向きを正す。
【発明を実施するための最良の形態】
【０００６】この発明の一形態を、図１に示す。
図１、ゴム紐による靴下前半を作成、足面を三角形に呈す、ゴム紐の伸縮方向は１に示すようになる。
図２、足首は靴下の上部同様が、後ろと両側部分に硬質のある物質でを入れ、損傷が出ないように裏地に薄い綿を入れる。両側に金具を設置。
図１と図２は、調節の出来るゴム布による連結する。【０００７】「実施形態の効果」
この実施形態によれば、紐ゴムの調節により足の向き方向を調節し、内股や外股を矯正する。
【図面の簡単な説明】
【０００８】
【図１】足の部分である。
【図２】足首の部分である。
【符号の説明】
【０００９】１、ゴム紐による靴下前半を作成、足面を三角形に呈す、ゴム紐の伸縮方向は図１に示すようになる、１と２を連結する調節できるゴム紐。
２、足首は靴下の上部と同様が、後ろと両側部分に硬質のある物質でを入れ、損傷が出ない様に裏地に薄い綿を入れる。両側に金具を設置する。
３、両側に金具を設置、ゴム布により連結し、上部の移動を防止する。
【図１】
2005261900.tif 000002
【図２】
2005261900.tif 000003
(57)【要約】【課題】肩や背中など手の届かない場所に湿布剤を貼るのは困難であり、なかなか正確な位置に貼ることが出来ない上、湿布剤がよじれてくっついてしまったりするのが現状である。そのため１人暮らしの方や、肌を露出して他人の手を借りることに抵抗を感じる人には不便であった。そこで接着剤の付いたローラーを用いて、１人で楽に貼ったりはがしたり出来る湿布貼り器を提供する。【解決手段】（イ）ローラー部分（１）はスポンジ材等クッション性のものとする。（ロ）ローラーを支える枠（３）は矩形とする。（ハ）外枠の中心部（４）は簡単なネジ状にして、曲線状の棒（５）と接続する。（ニ）棒（５）の先端は幅広の人の手状にする。（ホ）棒（５）の先端付近に穴を開けひもを通す。（ヘ）ローラーの接着面を保護する意味でプラスチックのカバーを付ける。本発明は、以上のような構成で、湿布剤を自分ではがすことも出来ることを特徴とする湿布貼り器。【選択図】図１
2005261899.tif 000002
【特許請求の範囲】
【請求項１】
（イ）ローラー部分（１）はスポンジ材等クッション性のものとする。
（ロ）ローラーを支える枠（３）は矩形とする。
（ハ）外枠の中心部（４）は簡単なネジ状にして、曲線状の棒（５）と接続する。
（ニ）棒（５）の先端は幅広の人の手状にする。
（ホ）棒（５）の先端付近に穴を開けひもを通す。
（ヘ）ローラーの接着面を保護する意味でプラスチックカバーを付ける。
本発明は以上のような湿布貼り器である。
【発明の詳細な説明】
【技術分野】
【０００１】  本発明は、１人で湿布剤を貼ったりはがしたり出来る器具に関するもので、表面に接着剤を塗布したローラーに湿布剤の裏面を貼り付け、接着剤の付いていないローラー部分を患部に当て、接続した棒を押してローラーを回すことで、湿布剤を患部に正確にきれいに貼れるだけでなく、接続した棒の先端の幅広手型で、湿布剤を自分ではがすことも出来ることを特徴とする湿布貼り器。
【背景技術】
【０００２】  従来は、湿布剤を貼る器具は殆ど市販されていなかった。
【発明の開示】
【発明が解決しようとする課題】
【０００３】  肩や背中など、手の届かない場所に湿布剤を貼るのは困難であり、なかなか正確な位置に貼ることが出来ない上、湿布剤がよじれてくっついてしまったりするのが現状である。
そのため、１人暮らしの方や、肌を露出して他人の手を借りることに抵抗を感じる人には不便であった。
本発明は、この課題を解消するためになされたものである。
【課題を解決するための手段】
【０００４】  （イ）ローラー部分（１）はスポンジ材等クッション性のものとする。
（ロ）ローラーを支える枠（３）は矩形とする。
（ハ）外枠の中心部（４）は簡単なネジ状にして、曲線状の棒（５）と接続する。
（ニ）棒（５）の先端は幅広の人の手状にする。
（ホ）棒（５）の先端付近に穴を開けひもを通す。
（ヘ）ローラーの接着面を保護する意味でプラスチックカバーを付ける。
本発明は、以上のような構成で成り立っている。
【発明の効果】
【０００５】  他人の手を借りなくても一人でどの部位にも正確に、きれいに湿布剤を貼ったりはがしたり出るので、従来のように失敗して湿布剤を無駄にすることがなくなる。
他人の前で肌を露出するという抵抗感も払拭できる。
よじれてしまうこともなく、縦にも横にも自在にきれいに塗布することが出来る。接続の棒はゆるやかな曲線をもたせることによって、より使用しやすくなる。棒の先端部分は幅広の人の手状にして湿布剤をはがすときに用いる。ローラーと棒との接点を簡易なネジで取り外しが出来るようにすることで、湿布剤をはがすとき使いやすく、「孫の手」として単独でも使える。
【発明を実施するための最良の形態】
【０００６】  以下、本発明の実施の形態について説明する。
（イ）ローラー部分（１）はスポンジ材等クッション性のものとし、（２）の部分を除いた表面に接着剤を塗布する。
（ロ）（２）の部分は接着剤を塗布しない。
（ハ）ローラーを支える枠（３）は矩形とする。外枠の中心部（４）は簡単なネジ状にして、曲線状の棒（５）と接続する。
（二）（５）の棒の先端は幅広の人の手状にし、（４）のネジを外して湿布剤を剥がすときに用いる。また、「孫の手」として単品でも便える。
（ホ）（５）の棒の先喘付近に穴を開けひもを通す。
（ヘ）ローラーの接着面を保護する意味でプラスチックのカバーを付ける。
本発明は、以上のような構成で成り立っている。
【図面の簡単な説明】
【０００７】
【図１】本発明の斜視図
【図２】本発明の斜視図（使用状態を示した説明図です）
【図３】本発明の断面図
【図４】本発明のカバーの斜視図
【符号の説明】
【０００８】    １ローラー（接着剤塗布部分）
２ローラー（接着剤不塗布部分）
３枠
４ネジ接続部
５幅広人の手型付き接続棒
６掛けひも用の穴
７ローラー部分カバー
８湿布剤表面
【図１】
2005261899.tif 000003
【図２】
2005261899.tif 000004
【図３】
2005261899.tif 000005
【図４】
2005261899.tif 000006
(57)【要約】【課題】  靴底に滑り止め用の金属系を埋め込んだものは、公共建物・デパート・コンビニ等の床面において滑りやすく、また歩行時に不快な音が発生する。これらを解消すると共に、滑り止めと足裏マッサージを同時に兼用できる履物を提供する。【解決手段】  滑り止めと足裏マッサージを同時に兼用するために、軟質弾性体と硬質弾性体の中間に伸縮部分を設け、歩行の際硬質弾性体の先端が地面に接触し滑り止めの効果を発揮する。それと同時に軟質弾性体も、足裏マッサージ刺激をすることを特徴とする履物。【選択図】  図３
2005261897.tif 000002
【特許請求の範囲】
【請求項１】
滑り止めと足裏マッサージを同時に兼用するために、任意の位置に複数の貫通穴を設け、軟質弾性体と硬質弾性体の中間に伸縮部分を配置して、歩行の際に硬質弾性体の先端が、地面に接触し滑り止めの効果を発揮し、それと同時に軟質弾性体の表面も、足裏をマッサージ刺激することを特徴とする履物。
【発明の詳細な説明】
【技術分野】
【０００１】  本発明は、滑って歩行が困難な場所で、滑りを防止する機能を持ち、その機能と連動して足裏のマッサージを兼用できる履物に関するものである。
【背景技術】
【０００２】  従来の履物は、靴底に滑り止め用の複数の突起を設けたものはある。また足裏にマッサージ機能を備えた履物もある。しかし双方を同時に兼用できる装置が望まれる。
【発明の開示】
【発明が解決しようとする課題】
【０００３】  そのために、次のような問題点があった。
（イ）  靴底に滑り止め用の金属系を埋め込んだものは、公共建物・デパート・コンビニ等の室内の床面において、滑りやすく逆効果である。また歩行時に不快な音が発生する。
（ロ）  さらに、従来の足裏マッサージの機能は伸縮作用の刺激がなく、歩行する際ゴツゴツして履き心地が悪かった。
そこで本発明は、上記従来の技術の双方の問題点を、同時に解決するために提供されたものである。
【課題を解決するための手段】
【０００４】  上記問題点を達成する為に、滑り止めと足裏マッサージを同時に兼用するために、任意の位置に複数の貫通穴を設け、軟質弾性体と硬質弾性体の中間に伸縮性のある弾性材を配置した。従って歩行の際弾性材の伸縮により、硬質弾性体の先端が地面に接触し滑り止め効果を発揮する。それと同時に軟質弾性体の表面も足裏をマッサージ刺激することを特徴とする履物である。
【発明の効果】
【０００５】  弾性材の伸縮により、着地するとき硬質弾性体の先端が地面に接触して、一時的又は瞬間的に雪・氷面に抵抗し滑りを止める。またそれと同時に軟質弾性体の表面が足裏を刺激し、マッサージ作用を発揮して相乗効果をもたらす。
【発明を実施するための最良の形態】
【０００６】（イ）  履物の靴底と足裏の任意の位置に、複数の貫通穴からなる突起部分（１）と伸縮部分（２）を設けて一体化した構成である。
（ロ）  従って、突起部分（１）を内蔵するための貫通穴を設け、これと伸縮部分（２）を連結する構造である。
（ハ）  伸縮部分（２）の弾性材作用で、足裏の突起部分（１）に設けた軟質弾性体（３）によるマッサージと、靴底の突起部分（１）に設けた硬質弾性体（４）の滑り止めからなるシステムである。
（ニ）  伸縮部分（２）の弾性材の材質は、スプリング類・弾力性スポンジ等を用いる。しかし材質とこれらの形状は必ずしも限定するものではない。
（ホ）  軟質弾性体（３）と硬質弾性体（４）の材質は、摩耗しにくく軽量であることが望ましい。例えばゴム・ウレタン・樹脂系等が適当である。
（ヘ）  貫通穴と伸縮部分（２）との隙間から生じる部分より、泥土・水類等の侵入を防止するために、弾力性のあるゴム・ウレタン系等の防水性のある皮膜層（５）で覆う。
本発明は以上のような構成で、これを使用する時は、履物をはいて歩行したり走行したりするとき、体重の移動で靴底と足裏の双方に、伸縮作用による圧力がかかり同時に連動する。そして荷重と衝撃を吸収する作用を繰り返すことで、滑り止めと足裏マッサージ等の効能が得られる構造とした。
【実施例】
【０００７】  図２に示すようなスリッパ類、その他の履物等、例えばサンダル・防寒ブーツ・長靴・短靴・作業靴・運動靴等が選択され、降雪中の道路や凍結道路・高所屋根面等やコンクリート等に油類が浸透した床面などで、歩行・走行の困難な場所や、各種の作業等を行う場合に滑らず安全である。
【図面の簡単な説明】
【０００８】
【図１】  本発明の平面図及び背面図である。
【図２】  本発明の側面図及び断面図である。
【図３】  本発明の拡大詳細図である。
【符号の説明】
【０００９】        １  突起部分
２  伸縮部分
３  軟質弾性体
４  硬質弾性体
５  皮膜層
【図１】
2005261897.tif 000003
【図２】
2005261897.tif 000004
【図３】
2005261897.tif 000005
(57)【要約】      （修正有）【課題】歩行に際して膝の負担を和らげ、つまずき予防のための歩行補助具を提供する。【解決手段】ベルト通しの輪に腰のベルトを通し、テープに目盛りを設け、支軸にテープを絡めて固定したテープバックルを設けた、支軸にテープの目盛りを合わせ、テープバックルでテープの長さを自在に調節が出来て、一定の強さにテープを保持することが出来る、テープに接合したゴムの弾力により、自在に強弱の調節が出来る、ゴムに接合したテープの足の輪があり、輪のなかに足を通して歩行が出来る、装着が容易に出来て散歩しながら運動が出来る、膝のリハビリも出来る歩行補助具。【選択図】図１
2005261894.tif 000002
【特許請求の範囲】
【請求項１】
ベルト通しの輪に腰のベルトを通し、テープに目盛りを設け、支軸にテープを絡めて固定したテープバックルを設けた、支軸にテープの目盛りを合わせ、テープバックルでテープの長さを自在に調節が出来て、一定の強さにテープを保持することが出来る、テープに接合したゴムの弾力により、自在に強弱の調節が出来る、ゴムに接合したテープの足の輪があり、輪のなかに足を通して歩行が出来る、装着が容易に出来て散歩しながら運動が出来る、膝のリハビリも出来るのが特徴とする歩行補助具。
【発明の詳細な説明】
【技術分野】
【０００１】  本発明は、散歩をするとき、僅かのでこぼこ道につまずく予防に、ベルト通しの輪に腰のベルトを通して、左右の足に腰からのテープがテープバックルで自在にテープの長さの調節が出来て、テープの目盛りで、テープが一定の長さに保持することが出来る、テープに接合してあるゴムの弾力により強弱の調節も出来る、ゴムに接合したテープの足の輪があり、輪のなかに足を通して歩行が出来る、毎日の散歩、運動、リハビリが出来る、歩行に際して膝の負担を和らげ、つまずきの予防に歩行補助具に関するものである。
【背景技術】
【０００２】  従来は、室内で器具を使って膝の運動をした、年齢と共に膝が弱くなり足を上げて歩かなく、すり足になり歩行中につま先が僅かの突き出ている物につま先がぶつかり転倒することがあり、リハビリ用補助具はあるが装着が大変で自在に長さの調節ができなく不便であった。
【発明の開示】
【発明が解決しようとする課題】
【０００３】  そのために次のような問題点があった、室内での運動器具で膝の運動をしても外出して歩くと膝が上がらずにすり足で歩くため、つまずきやすく、年齢と共に膝の屈伸運動が弱くなり、室内だけの運動では膝の運動にはなっていなかった。
本発明は以上の問題点を解決しようとするものである。
【課題を解決するための手段】
【０００４】  ベルト通しの輪に腰のベルトを通し、テープに目盛りを設け、支軸にテープを絡めて固定したテープバックルを設けた、支軸にテープの目盛りを合わせ、テープバックルでテープの長さを自在に調節が出来て、一定の強さにテープを保持することが出来る、テープに接合したゴムの弾力により、自在に強弱の調節が出来る、ゴムに接合したテープの足の輪があり、輪のなかに足を通して歩行が出来る、装着が容易に出来て散歩しながら運動が出来る、膝のリハビリも出来る、以上を特徴とする歩行補助具である。
【発明の効果】
【０００５】  本発明は、肌に着用することが出来て、他人に気兼ねなく装着して使用が出来る、歩くときに膝を上げるのが楽になり、足を下ろすときはゴムの強さで膝の運動になり、装着が容易で行動しやすく、散歩をしながら運動が出来て、膝のリハビリにもなる。
【発明を実施するための最良の形態】
【０００６】  以下、本発明の実施の形態を説明する。
（イ）ベルト通しの輪（１ａ）に腰のベルト（４）を通し、テープ（１）に目盛り（２）を設け、テープ（１）はゴム（３）に接合している。
（ロ）テープバックル（５）を設け、支軸（６）にテープ（１）を絡めて支軸に固定（６ａ）を設けた、ゴム（３）の弾力により強弱が自在に出来る。
（ハ）布、糸からなるテープ（１）に接合しているゴム（３）を設けてある。
（ニ）ゴム（３）にテープ（１）を接合した足の輪（１ｂ）を設けてある。
本発明は、以上の構成によりなっている。
本発明を使用するときは、上記の歩行補助具を使用、ベルト通しの輪（１ａ）に腰のベルト（４）を通して装着する、テープバックル（５）の支軸（６）にテープ（１）を通して、目盛り（２）を支軸（６）に合わせ、テープを足の長さに合わせて自在に調節が出来て、ゴム（３）の弾力で強弱が自在に出来る、その日の状態によりテープを調節することでゴムの強さも変えることが容易に出来る、膝の運動、リハビリが出来る。
【図面の簡単な説明】
【０００７】
【図１】本発明の斜視図
【図２】本発明の分解斜視図
【図３】本発明の使用状態を示す斜視図
【符号の説明】
【０００８】      １  テープ
１ａ  ベルト通しの輪
１ｂ  足の輪
２  日盛り
３  ゴム
４  腰のベルト
５  テープバックル
６  支軸
６ａ  支軸に固定
【図１】
2005261894.tif 000003
【図２】
2005261894.tif 000004
【図３】
2005261894.tif 000005
(57)【要約】【課題】    本発明は寝たきりの老人や  幼い子供の髪を切る場合  衣服のまま場所を選ばずタオルや首かけカバー支持具など不用のまま簡単に散髪できる。【解決手段】一対の鋏の刃部にＴ字溝凹を設けプラスチックの半円筒形の一辺にＴ字溝凹に差し込むプラスチックＴ字突起凸を上部、下部にも設け差し込むことで構成している。【選択図】図１０
2005261887.tif 000002
【特許請求の範囲】
【請求項１】
刃先（２，２ａ）を有する一対の鋏片開閉中心軸（３）により  回転可能に支持して同軸よりも、先端部を刃部６，６ａとするとともに  基端側を柄部とし同柄部には指掛け用の握持部を  形成した鋏において開閉時  一対の刃部（６ａ、６）の先端の刃（２ａ）に平行に沿った下部にＴ字溝凹（５ａ）を設けクロスする対面鋏片の上部にも平行に沿ったＴ字溝凹（５）を設け  Ｔ字溝凹（５ａ、５）にプラスチックの半円形筒（８ａ、８）を  Ｔ字突起凸（７ａ、７）プラスチック半円形筒（８ａ、８）容器を  設けたＴ字溝凹（５ａ、５）に差込む事で  切断した髪の毛を半円形筒（８ａ）で受け貯め廃棄することを特徴とする。
【請求項２】
一対の鋏の刃部（６ａ）に設けたＴ字溝凹（５ａ）に合わせたプラスチックの半円形筒Ｔ字突起凸（７ａ）を刃部（６ａ）のＴ字溝凹（５ａ）に  上部Ｔ字突起凸（７）はＴ字溝（５）に  下部Ｔ字突起凸（７ａ）はＴ字溝（５ａ）に差込み  上部に差し込んだ半円形筒（８）を下部に設けた半円形筒（８ａ）が  切断した髪を請け収納円筒部（９）に取り付けた収納部廃棄蓋（１１）をはずし廃棄し  プラスチック（８，８ａ）も使い捨てを特徴とする介護鋏。
【請求項３】
一対の鋏の刃部（６，６ａ）に差し込んだプラスチック（８，８ａ）のＴ字突起凸（７，７ａ）半円形筒（８、８ａ）容器を取り外すと平常に使い分ける洋鋏にもどることを特微とする。
【発明の詳細な説明】
【技術分野】
【０００１】本発明は寝たきりの老人髪の毛の散髪、子供の前髪、無駄毛、の処理などに関する。
【背景技術】
【０００２】従来、散髪した髪は首にタオル、カバー布で体に髪がはいり込むのを防ぎ下に髪を、捨てていた。
【発明が解決しようとする課題】
【０００３】本発明は以上のような従来の鋏の目的にあわし刻んだ髪の毛が体や衣服に付着するのを防止できる。
【０００４】本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００５】上記目的を達成するために、本発明は一対の鋏片を開閉中心軸により回転可能に支持して先端側を刃部とするとともに基端側を柄部とした  いわゆる洋鋏において、鋏片の刃部をＴ字溝凹に掘り半円筒形Ｔ字突起凸のプラスチックを差し込みクロスする側面上部にもＴ字溝凹を設けＴ字突起凸を設けた刃部を特徴とする洋鋏。
【発明の効果】
【０００６】以上の説明から明らかなように、本発明にあたっては次に列拳する効果が得られる。
（１）この目的達成する為  本発明は一対の鋏の刃部に設けたＴ字溝凹にプラスチックの半円筒形Ｔ字突起凸を刃部のＴ字溝凹に差込み  髪の毛をカットした髪を  衣服に付着するのを防ぐ。
（２）半円形筒プラスチックの髪受けの半円形筒をＴ字溝凹から  外せば普通の洋鋏として使用できる。
（３）半円形プラスチックは、使い捨て可能。
【発明を実施するための最良の形態】
【０００７】以下、図面に示す発明を実施するための最良の形態により、本発明を詳細に説明する。【０００８】図１ないし図２、３、４は一対鋏片開閉動中心部（３９から先端の刃（２ａ）下の刃部（６ａ）に平行にＴ字溝（５ａ）凹を設け対する鋏片も中心部（３）から先端の刃部（２）の上部にも平行にＴ字溝（５）凹を設ける。【０００９】図５は、一対の鋏の刃（２，２ａ）刃部（６，６ａ）Ｔ字溝（５，５ａ）凹の断面図本体である。【００１０】一対の鋏の刃部（６，６ａ）Ｔ字溝（５．５ａ）凹に差し込むプラスチック筒  図６半円形筒プラスチック（８，８ａ）にＴ字溝（５、５ａ）凹に差し込む半円形筒プラスチック（７、７ａ）Ｔ字突起凸を設ける。【００１１】図８はプラスチック全体の斜視図  図９はプラスチック筒の正面図【００１２】図１０は鋏のＴ字溝（５，５ａ）凹に差し込む半円形筒プラスチック（７、７ａ）Ｔ字突起凸を設け半円形筒（８ａ）手前に円筒形筒（９）を設け散髪した髪の毛を蓄積して落とし円筒形筒（９）に設けた底ネジ（１０ａ）の底蓋（１１）を回し取り外し廃棄する。
【産業上の利用可能性】本発明は幼い子供や介護を必要としているおとしよりの散髪や  お出かけ前の気になる無駄毛や癖毛のていれ等々。
【図面の簡単な説明】
【００１３】
【図１】本発明の鋏本体の側面図
【図２】鋏の側面斜視図
【図３】鋏の側面斜視図
【図４】鋏の側面斜視図
【図５】鋏本体正面の断面図
【図６】半円筒形プラスチックＴ字突起凸正面断面図
【図７】鋏本体と刃部凹と半円筒形プラスチックＴ字突起凸の正面断面図
【図８】プラスチック全体の斜視図
【図９】刃部に設けたＴ字溝凹に差し込むプラスチックＴ字突起凸と半円筒形プラスチックの断面図
【図１０】全体の斜視図
【符号の説明】
【００１４】１：１対の鋏  ２：刃  ２ａ：刃  ３：開閉動中心部  ４：柄部  ５：Ｔ字溝凹  ５ａ：Ｔ字溝凹  ６：刃部  ６ａ：刃部  ７：プラスチックＴ字突起凸  ７ａ：プラスチックＴ字突起凸  ８：半円形筒  ８ａ：半円形筒  ９：収納円筒部  １０：収納部凹凸  １０ａ：収納部凹凸  １１：収納部廃棄蓋
【図１】
2005261887.tif 000003
【図２】
2005261887.tif 000004
【図３】
2005261887.tif 000005
【図４】
2005261887.tif 000006
【図５】
2005261887.tif 000007
【図６】
2005261887.tif 000008
【図７】
2005261887.tif 000009
【図８】
2005261887.tif 000010
【図９】
2005261887.tif 000011
【図１０】
2005261887.tif 000012
(57)【要約】【課題】  従来の治療法の中で患者が動診をして、自分の目ですぐ身体のゆがみを確認する方法がなかった。【解決手段】  この表の上に乗り、動診することにより自分の身体のゆがみ、かたむきがわかり自覚、認識することによって健康の改善が出来る。その他にゲームとして使う事により子供から高齢者まで、幼稚園・学校・サークル・パーティ・家族などで楽しく遊びながら正しい姿勢に改善出来る。【選択図】  図１
2005261881.tif 000002
【特許請求の範囲】
【請求項１】
現在病院、治療院、カイロプラクティック院、整体院などで身体のゆがみを診察してもらいますが、患者にとって身体のゆがみ、かたむき等の程度が今ひとつ実感としてわからないのが実状です。
そこでこの身体ゆがみ度チェック表で調べると自分の身体のゆがみ、かたむきが一目瞭然でわかります。また子供から大人までゲーム感覚とて使え、楽しめます。
正しい姿勢を意識して体に無理なく適度な運動を取り入れながら使う表です。
【発明の詳細な説明】
【技術分野】
【０００１】  本発明は、病院、治療院、家庭などで身体のゆがみをチェックするものです。
【背景技術】
【０００２】  現在、病院、カイロプラクティック、整体治療院等では診察の際、身体のゆがみ、かたむきなどを説明されますが患者自身には今ひとつ実感としてわからないのが実状です。
【発明の開示】
【発明を解決しようとする課題】
【０００３】  本発明は患者自身が身体のゆがみ、かたむきを一目暸然にわかることを目的とするものである。
【課題を解決するための手段】
【０００４】  患者自身がこの表の上に乗り、足踏みをして自分で身体のゆがみ、かたむきを確認するものです。
【発明の効果】
【０００５】  この動作を行うことにより自分の身体のゆがみ、かたむきがどの程度かわかり、これを自覚し、意識することにより正しい姿勢を心がけ、前向きに治療に専念する事が出来る。
【発明を実施するための最良の形態】
【０００６】  この表の足型の上に乗り、目隠しまたは目を閉じてももを高くあげ、手を大きく振り６０回位足踏みします。
足踏みが終わったらその場を動かず、目隠しを取り目をあけて位置を確認し足のつま先がどの方向に向いているか（角度）前後にどの位動いているか確認して身体のゆがみ、かたむき具合をチェックします。
【図面の簡単な説明】
【０００７】  図面▲１▼の説明【図１】  ▲１▼足型  ▲２▼▲３▼▲４▼は足のつま先の角度で体のゆがみ度を示す。  ▲５▼▲６▼▲７▼の半円は前屈のゆがみ度を示す。
【図１】
2005261881.tif 000003
(57)【要約】【課題】従来の耳の防寒具は嵩張り持ち運びに不便だった上、髪の乱れを気にしなければならなかった【解決手段】大きさは耳程度の上、布で作られているためコンパクトに折りたため持ち運びが便利である、又耳のみにかぶせて使用できるようにした。【選択図】図３
2005261882.tif 000002
【特許請求の範囲】
【請求項１】
持ち運び便利な事を特徴とする耳にかぶせて使用する、コンパクトなサイズの耳の防寒具。
【請求項２】
耳の穴の部分に、穴を開け耳の防寒具を外さず、イヤホン等が使用出来る事を特徴とする請求項１記載の耳の防寒具。
【請求項３】
サイズ調整が出来ることが、可能な請求項１．請求項２記載の耳の防寒具。
【発明の詳細な説明】
【技術分野】
【０００１】この発明は、耳の寒さ対策の為に用いる、耳の為の防寒具の形状に関する。
【背景技術】
【０００２】  従来の耳の為の防寒具は、ヘッドホン型のものもしくは、帽子に耳あてがついたものである。
【特許文献】  平１１−２２９２２３
【発明の開示】
【０００３】  しかしながら、これらの技術では、コンパクトに鞄等に納めることが出来ない。又、髪の乱れを気にする者や、事情により決められた帽子を着用しなければならない者にとっては、使用しづらいものである。又イヤホン等の道具を介して音を聞く場合はそれを脱ぐなどの動作が必要であった。
【課題を解決する為の手段】
【０００４】  以上の課題を解決する為に、第１発明は、布を耳型に作成し、耳だけにかぶせて使用するものとした、コンパクトなサイズの耳の防寒具である。
又第２発明は、耳の穴の部分にイヤホンほどの大きさの穴を開けた、耳の防寒具である。
第３発明は、ゴムを介し移動や固定ができる道具を用いる事で、ゴムの長さを調節できサイズ調節を可能とした耳の防寒具である。
第４発明は、耳の付根の下の部分の形状に曲げられたワイヤーを第３発明のゴムより耳の付根側に通した耳の防寒具である。
【発明の効果】
【０００５】  第１発明によれば、耳のみにかぶせて、使用する為、髪の乱れを気にしなくていい、又耳程の大きさの上、素材は、布の為持ち運ぶ時も嵩にならない。
第２発明によれば、耳の防寒具を外すこと無くイヤホン等を使用できる。
第３発明によれば、耳のサイズは人それぞれの為、使用者が個々にサイズの調整が出来る。
第４発明によれば、ワイヤーを耳の下側の付根部分に使用することにより、着用しやすくなると共に耳の防寒具をずれにくくする役割も果たす。又形状の調整が個々で出来る。
【発明を実施する為の最良の形態】
【０００６】  図１は、この発明の実施形態を作成するための、布を裁断した時の断面図である。
耳型左右対称のものと、同じ大きさの長方形の２枚の布である。
耳型は耳の穴の部分に穴が開けられている。布の切断部分には全てほつれない加工が施されている。
１の周の長さと２の長さがは等しい。
３はゴムとワイヤーの幅を考慮した縫い代分が取られている。
図２は図１の長方形の布の両端を縫い合わせ、輪にした後、ゴムとワイヤーの幅を考慮した縫い代を折り曲げて縫ったものである。
図３は、この発明の実施形態を示す平面図である。
上段は裏から、下段は表から見た平面図である。
図１の１と図２の５を縫い合わせ、６にゴムを７にワイヤーが通してある。
ワイヤーがずれないように、８は縫ってある。
９はゴムの長さが調節できる道具が付けてあり、サイズが調節出来る様になっている。
１０は、顔面にあたる部分であり、奥行きがないためギャザー等をいれて幅が狭くしてある。
【実施形態の効果】
【０００７】  この実施形態によれば、冬場の耳の冷えや、その冷えの為の痛みを緩和させる。
また、持ち運びに便利で、髪の乱れを気にすることなく使用できる。
【０００８】「他の実施形態」請求項２を含まない、耳に穴の部分に穴が開いていない形状のものでも良い。
【図面の簡単な説明】
【０００９】
【図１】この発明の一実施形態になる前の布の形態を示す平面図である。
【図２】図１の長方形の布を耳型と縫い合わせる前の形態の斜視図である。
【図３】この発明の１実施形態を示す平面図である。
【符号の説明】
【００１０】          １・２  耳型の周囲
３  ゴムどワイヤーを見込んだ縫い代
４  ゴムとワイヤーを通すための切り込み
５  耳型図１の１と縫い合わせる周
６  ゴム
７  ワイヤー
８  ワイヤーのずれを防ぐための縫い目
９  ゴムの長さを調節する為の道具
１０  幅調整の為のギャザー
【図１】
2005261882.tif 000003
【図２】
2005261882.tif 000004
【図３】
2005261882.tif 000005
(57)【要約】本発明は写真盾スペ−スで携帯電話機の充電を可能にした製品である【課題】本発明は双方の機能をいかに簡単に便利に使用する事が出来、装飾性や品位を高める事が出来るかが課題である【解決手段】本発明は写真盾のスペ−スを上手に利用する事により、コンパクトで且つ美しく簡単に利用出来る様にした製品である又盾は３Ｄ方式のパネルを用いる事で、高装飾性に富んだ演出も出来、なお新鮮さも付加する事に成功した【選択図】図１
2005261889.tif 000002
【特許請求の範囲】
【請求項１】
写真盾に携帯電話機専用の充電器部を付加した製品
【発明の詳細な説明】
【発明の詳細な説明】
【０００１】写真盾に携帯電話機専用の充電器を付加した物でペン立てや小物置き場としても利用出来る様にした製品
【技術分野】
【０００２】携帯電話機専用の充電器部を付加し、写真盾は３Ｄ方式等を取り入れ、写真は入れ替えを可能とした商品
【背景技術】
【０００３】従来は写真を盾に単に挟む機能として使用していた
【発明が解決しようとする課題】
【０００４】写真盾は携帯電話機用充電器機能を有し写真盾やペン立て等の機能をもたせる事により利用価値を多くする事に有る
【課題を解決する為の手段】
【０００５】写真盾等に携帯電話機専用の充電器を付加する事で双方の目的がコンパクトで且つ簡単に使用出来る様にした
【発明を実施するための最良の形態】
【０００６】写真盾は装飾性、及び高級感を演出し、且つ写真盾部に携帯電話機専用の充電器機能を取り付た事により全体をコンパクトに仕上げる事が出来る
【実施例１】
【０００７】図１は本発明の全体図を示し、▲１▼は３Ｄ方式の写真盾、▲２▼は写真盾前面に取り付けた縦型携帯電話機専用充電器
【実施例２】
【０００８】図２は本発明の全体図を示し、▲１▼は３Ｄ方式の写真盾、▲２▼は写真盾前面に取り付けた横型電話機専用充電器
【発明の効果】
【０００９】本発明は忙しい日常生活の中で簡単に利用出来る様にした。携帯電話機用充電器付き３Ｄ方式写真盾は、写真を見る事で、心が癒され充電も容易にすることが出来る
【図面の簡単な説明】
【００１０】
【図１】  縦型携帯電話機用充電器付き３Ｄ方式写真盾一体型
【図２】  横型携帯電話機用充電器付き３Ｄ方式写真盾一体型
【符号の説明】
【００１１】１  ３Ｄ方式写真盾
２  携帯電話機用充電器
３  写真、絵等の挿入場所
４  台座
５  電源コ−ド
【図１】
2005261889.tif 000003
【図２】
2005261889.tif 000004
(57)【要約】【課題】  本発明は、一般的な家庭に普及している、掃除機を利用して、通常の吸引方法のみの掃除だけではなく、簡単な装置で吹き払いの掃除も出来ないかと考えた。【解決手段】  掃除機本来のもつ、吸引の空気の流れをエネルギーに、してファンを駆動させて、その回転エネルギーをもって、送風用のファンを回転させて、ブロワー効果を得る事が可能になった。【選択図】  図１
2005261878.tif 000002
【特許請求の範囲】
【発明の詳細な説明】
【技術分野】
【０００１】  本発明は、一般家庭などで使われている、電気掃除機の利用範囲拡大に関する。
【発明の開示】
【発明が解決しようとする課題】
【０００２】  従来の掃除機は、吸引のみの機能を持ったものが殆どである。
【課題を解決するための手段】
【０００３】  そこで、本発明は、掃除機の先端の吸引部分に取り付けて、掃除機が本来持つ吸引のエネルギーを利用し、駆動用ファンを回転させて、その力をシャフトで動力を別の送風用のファンに伝えてブロワー効果を生み出す。【０００４】  ただ、直接駆動ファンと送風用ファン連結させる事も可能ですが、試運転の結果ある程度の風量は得られますが、やや不十分のようですので、送風用のファンの回転数を上げるために、途中にギヤー比を変えて、より強いパワーが得られるようにしました。【０００５】  また、本発明は、掃除機の吸引力をエネルギーとしますので、モーターなどを必要とせず、さらに、強弱調整付の掃除機でしたら、その機能をそのまま、ブロワーの強弱として利用可能になります。【０００６】  掃除機を使ってのブロワーと言っても、掃除機内の汚物（ゴミ）が噴出す事はありません。
【発明の効果】
【０００７】  従来の吸引のみの掃除方法では出来なかった「吹き払い」の掃除がこのアダプターをワンタッチで簡単に装着するだけで、可能になります。
【発明を実施するための最良の形態】
【０００８】  本発明の図を説明致します。【０００９】  ６の部分を掃除機の先端に装着しまして、シャフト５に取り付けられた、１のファンを、２の掃除機への空気取り入れ口から取り入れた、吸引力で高速回転させます。【００１０】  １のファンで得られた、回転エネルギーを、より高速回転するために、７のギヤー（大）で、２：１の変換で送風用ファンに取り付けられた１４の送風用のギヤー（小）に伝えます。【００１１】  １４のギヤーで受け取った回転エネルギーを、９の送風用空気取り入れ口から取り入れた、空気を１１のシャフトに取り付けた８の送風用ファンで送り出します。【００１２】  また、各ファンにおいて、スムーズに高速回転するように、各室を区切る１５、１６の仕切り部分のシャフトを固定する部分、３・４及び、１０・１２にベアリングを使用。【００１３】  駆動用ファン１には、３枚羽根を使用し、送風用８には６枚羽根程度が適当。【００１４】  安全の為に、排気口付近に、１３の保護ネットを取り付けています。
【図面の簡単な説明】
【００１５】
【図１】    本発明の実施形態を表す断面図。
【図２】    本発明の外観図
【図１】
2005261878.tif 000003
【図２】
2005261878.tif 000004
【手続補正書】
【提出日】平成16年5月12日(2004.5.12)
【手続補正１】
【補正対象書類名】特許請求の範囲
【補正対象項目名】全文
【補正方法】変更
【補正の内容】
【特許請求の範囲】
【請求項１】
掃除機の吸引力を使って駆動用のファンを回転させて、その回転する力を動力源にして、その動力をさらに、ギヤー比の変化により回転数を増幅させて、別の送風ファンへ動力を伝えて、ブロワー効果を生み出す装置。
(57)【要約】【課題】  従来のクロス取替用床清掃具で、ホッチキスの芯、クリップ等の金属塵を清掃すると、それらの金属塵が取替用クロスの繊維と絡み合い、さらにその状態で使用を継続すると、フローリング等の床面をその金属塵により傷つける原因となった。【解決手段】  清掃用具本体の側面両側に、板状のマグネットを設けることにより、床上の金属塵をその磁力により吸着分別し、本体の下へ入り込み、床面を傷つける原因を防止することができる。【選択図】図１
2005261875.tif 000002
【特許請求の範囲】
【請求項１】
クロス取替用の床清掃具本体の側面に、マグネット部分を設け、金属塵とその他の塵との分別を磁力により行い、金属塵による床の損傷等を防止するようにした床清掃具。
【発明の詳細な説明】
【技術分野】
【０００１】  本発明は、クロス取替用床清掃具の金属塵分別に関するものである。
【背景技術】
【０００２】  従来、フローリング等、床の清掃を目的として、クロス取替用の床清掃具が使用されている。
【発明の開示】
【発明が解決しようとする課題】
【０００３】  クロス取替用清掃具を使用しているとき、次のような問題点があった。【０００４】  床にホッチキスの芯、クリップ等の金属塵が落ちている上を、従来の清掃具で清掃すると、それらの金属塵が取替用クロスの繊維と絡み合い、さらにその状態で使用を継続すると、フローリング等の床面をその金属塵により傷つける原因となった。【０００５】  本発明は、以上の問題点を解決し、金属塵を分別して床面を傷つけることがないようにしたものである。
【課題を解決するための手段】
【０００６】  清掃用具本体の側面両側に、板状のマグネットを設置する。マグネットの配置は、清掃時にマグネット部分と床面が接することがない程度の間隔を保って設ける。【０００７】  本発明は、以上の構成よりなる金属塵分別可能な床清掃具である。
【発明の効果】
【０００８】  本発明の床清掃具は、床上の金属塵を本体側面のマグネットの磁力により吸着分別し、床面を金属塵によって損傷させることなく清掃が行える。
【発明の実施するための最良の形態】
【０００９】  以下、本発明の実施の形態を図１〜図３に基づいて説明する。
【００１０】  図１〜図３における本体の側面両側１に、マグネット２を設ける。マグネット２の設置場所は、清掃時に床面とマグネットが接することがない間隔３を保って設ける。その間隔３は床面すなわち本体の底面４より約２ミリメートル程度が効果的である。
【００１１】  以下、上記構成の使用方法を説明する。本発明の清掃具に、従来品の場合と同様に取替用クロスを装着して使用する。そして、使用中金属塵は本体の側面に設置されているマグネットの磁力により吸着分別され、本体の下へ入り込み、床面を傷つける原因とはならない。
【００１２】  また、使用後も従来品同様の方法で取替用クロスを廃棄する。
【図面の簡単な説明】
【００１３】
【図１】本発明の斜視図
【図２】本発明の裏面斜視図
【図３】本発明の裏面正面図
【附合の説明】
【００１４】    １  本体の側面
２  マグネット
３  床面との間隔部分
４  本体の底面
【図１】
2005261875.tif 000003
【図２】
2005261875.tif 000004
【図３】
2005261875.tif 000005
(57)【要約】【課題】  本発明は、過熱調理中のホットプレートや鉄板上の一部を保温状態に保つための、水の熱伝導による保温調理具を提供する。【解決手段】  本体下部のトレーと鉄板部の接触面は最小限とし、トレーに入った水の熱を、鉄板部に数箇所付いているトレーには接触していない熱伝導素材のヒダにより、鉄板部に伝える。  以上を特徴とする水と熱伝導素材の熱伝導による保温調理具である。【選択図】        図１
2005261879.tif 000002
【特許請求の範囲】
【請求項１】
本体下部のトレーと鉄板部の接触面は最小限とし、トレーに入った水の熱を、鉄板部に数箇所付いているトレーには接触していない熱伝導素材により、鉄板部に伝えることを特徴とする水と熱伝導素材の熱伝導による保温調理具。
【発明の詳細な説明】
【技術分野】
【０００１】  本発明は、過熱調理中のホットプレートや鉄板上の一部を保温状態に保つための、水の熱伝導による保温調理具に関するものである。
【背景技術】
【０００２】  従来、ホットプレートや鉄板の表面温度は、高温で調理するときは表面全てが高温になり、保温状態では表面全てが保温状態であった。
【発明の開示】
【発明が解決しようとする課題】
【０００３】  そのために次のような問題点があった。
ホットプレートや鉄板で焼肉等の調理をする際、焦げ付いてきた食材は他のまだ焦げてきていないカボチャや玉ネギの上にのせて焦げを防いだり、調理人が食べ手の意志に関係なく各々の取皿に振り分けていた。また、焦げるのを防ぐためホットプレートや鉄板の温度を保温状態にすると新たな食材を調理するのに充分な熱を得られなかった。
本発明は、以上の問題点を解決するためになされたものである。
【課題を解決するための手段】
【０００４】  本体下部の水入れトレーと鉄板部の接触面は最小限とし、水入れトレーに入った水の熱を、鉄板部に数箇所付いている水入れトレー本体には接触していない熱伝導素材のヒダにより、鉄板部に伝える。
以上を特徴とする水の熱伝導による保温調理具である。
【発明の効果】
【０００５】  本発明は、ホットプレートや鉄板が高温状態であっても水と熱伝導素材の熱伝導により発明品の鉄板部を保温状態に保つことができる。
【発明を実施するための最良の形態】
【０００６】以下、本発明の実施の形態を説明する。
（イ）防錆性を施した鉄等を主材にした長方形状の水入れトレー（５）の短い両サイドの側板（６）を切り欠いて、凹部状の取っ手（７）を設ける。
（ロ）表面に焦げ付き防止加工等を施した鉄板部（１）の一角に、湯気逃がし兼給水口（２）を設ける。
（ハ）湯気逃がし兼注水口（２）から見える位置の水入れトレー（５）の角に、水（１０）を入れる時の目安とする注水線（８）を設ける。
（ニ）鉄板部（１）の下部に、熱伝導の良い材質の平板状のヒダ（３）を等間隔に複数、垂直に設ける。
（ホ）鉄板部（１）の四隅に水入れトレー（５）との接触を最小限としズレ防止の凹部がある爪（９）を設ける。
（ヘ）鉄板部（１）の表面外周に本発明を使用する際の、設置・撤収時の水漏れを防止するための水漏れ防止溝（４）を設ける。
本発明は以上の構成よりなっている。
本発明を使用するときは、水入れトレー（５）に平板状のヒダ（３）を下にして鉄板部（１）を被せて注水線（８）まで水（１０）を注ぎ、ホットプレートや鉄板上に設置する。ホットプレートや鉄板により熱せらられた水の熱が、平板状のヒダ（３）を伝わり鉄板部（１）を温める。鉄板部（１）の温度は水が沸騰した状態でも９０℃前後のため適度な保温状態が得られる。  また、沸騰による蒸発のため水（１０）が減少した場合は、湯気逃がし兼注水口（２）より水を注ぎ足す。
本発明を使用する際の設置・撤収時には、鉄板部（１）を引っくり返すと水入れトレー（５）の上端が水漏れ防止溝（４）に重なり蓋となるので、水をこぼすことなく設置・撤収を行なうことができる。
なお、本発明について、他の実施例として次のものがある。以下その構成について次の項で説明する。
以下、本発明の他の実施の形態を説明する。
（ト）防錆性を施した鉄等を主材にした扇形状の水入れトレー（１３）の平面の側板（１４）を切り欠いて、凹部状の取っ手（７）を設ける。
（チ）表面に焦げ付き防止加工等を施した扇形状の鉄板部（１１）の鉄板部頂点（１２）に、湯気逃がし兼給水口（２）を設ける。
（リ）湯気逃がし兼注水口（２）から見える位置の扇形状の水入れトレー（１３）の頂点（１５）に水（１０）を入れる時の目安とする注水線（８）を設ける。
（ヌ）扇形状の鉄板部（１１）の下部に、熱伝導の良い材質の平板状のヒダ（３）を等間隔に複数、垂直に設ける。
（ル）扇形状の鉄板部（１１）の三角に扇形状の水入れトレー（１２）との接触を最小限としズレ防止の凹部がある爪（９）を設ける。
（ヲ）扇形上の鉄板部（１１）の表面外周に本発明を使用する際の、設置・撤収時の水漏れを防止するための水漏れ防止溝（４）を設ける。
他の実施例は以上の構成よりなっている。
他の実施例では、本発の構造は同じでも形状を扇形にすることにより、丸型ホットプレート（１６）で使用する際、丸型ホットプレート（１６）の内径にフィットするため、無駄なスペースが発生しない。
また、四角型ホットプレート（１７）で使用する際も、扇形上の鉄板部（１１）の頂点（１２）を四角型ホットプレート（１７）の角（１８）に合わすことにより無駄なスペースが発生しない。
【図面の簡単な説明】
【０００７】
【図１】    本発明の分離斜視図
【図２】    本発明の平面図
【図３】    本発明の断面図
【図４】    本発明の爪の部分の拡大図
【図５】    本発明他の実施例の分離斜視図
【図６】    本発明他の実施例の平面図（丸型ホットプレート）
【図７】    本発明他の実施例の平面図（四角型ホットプレート）
【符号の説明】
【０００８】      １  鉄板部
２  湯気逃がし兼注水口
３  平板状のヒダ
４  水漏れ防止溝
５  水入れトレー
６  短い側板
７  取っ手
８  注水線
９  爪
１０  水
１１  扇形状の鉄板部
１２  鉄板部頂点
１３  扇形状の水入れトレー
１４  平面の側板
１５  頂点
１６  丸型ホットプレート
１７  四角型ホットプレート
１８  角
【図１】
2005261879.tif 000003
【図２】
2005261879.tif 000004
【図３】
2005261879.tif 000005
【図４】
2005261879.tif 000006
【図５】
2005261879.tif 000007
【図６】
2005261879.tif 000008
【図７】
2005261879.tif 000009
(57)【要約】      （修正有）【課題】洋式便器の便座を衛生的に使用するための方法を提供する。【解決手段】洋式便器１の蓋体４の下面周側に噴射ノズル６を配設し、このノズルから消毒液や洗浄液を噴射して便座３を洗浄する。【選択図】図１
2005261880.tif 000002
【特許請求の範囲】
【請求項１】
下面周側に噴射機構を備えたことを特徴とする洋式便器蓋。
【発明の詳細な説明】
【発明の詳細な説明】
【０００１】この発明は、洋式便器の蓋に関するもので、その下面周側に噴射機構を備えて、洗浄液や消毒液を噴射することによって便座を洗浄消毒できるようにしたものである。
【技術分野】
【０００２】この発明は、洋式便器の便座の洗浄消毒技術に関するの分野もので、便器蓋の下面周側から洗浄液や消毒液を噴射して便座を洗浄する技術である。
【背景技術】
【０００３】従来、洋式便器には便座を衛生的に清潔に保つための洗浄機構が備わっていないため衛生的でなかった。
【発明が解決しようとする課題】
【０００４】この発明は、洋式便器の便座を衛生的に清潔に使用するために交換式の便座カバーを使ったり、ロールペーパーを切って敷いたり、ワイパーで拭ったりするわずらわしい行為を排除しようとする課題を解決しようとするものである。
【０００５】公設トイレや社屋のトイレのように不特定多数の者が使用する洋式トイレは便座が直接体に触れるので衛生的観点から常に消毒され清潔に保たれることが要求される。しかしながら、現状ではまったくそのような措置が取られておらず、不衛生である。実際には、ロール紙を切り取って敷き衛生的に使用する者もあるが、衛生措置をせず我慢してそのまま使用するケースもあり、不衛生である。
【課題を解決するための手段】
【０００６】この発明は、上述の従来の欠点を解決するためになされたもので、洋式便器の蓋体の下面周側に噴射ノズルを配設し、このノズルから消毒液や洗浄液を噴射して便座を洗浄し衛生管理ができるようにした。
【実施例】
【０００７】つぎに、この発明の一実施例を図１について説明する。
（１）は洋式便器本体で、この便器本体（１）の上部にはスペーサー（２）を介して便座（３）を乗せてある。なお、スペーサー（２）は便座（３）の下部要所に固定されているものであり、便座（３）は通常の周知の構造によって便器本体（１）の背部において開閉自在に連結してある。【０００８】（４）はこの発明の蓋体で、この蓋体（４）の下面周側には消毒剤供給パイプ（５）およびこれに連結した噴射ノズル（６）と洗浄剤供給パイプ（７）およびこれに連結した噴射ノズル（８）を配設する。なお、これらの供給パイプ（５）（７）はそれぞれ消毒剤ポット、洗浄剤ポットに連結しポンプによって昇給されるものである（図示しない）。【０００９】また、蓋体（４）の外周下部にはゴム等からなる弾性体ベローズ（９）を嵌め込み溝（１０）によって取り付ける。
さらに、蓋体（４）の中央部には図２に示すように乾燥用送風機構（１１）を設ける。この乾燥用送風機構（１１）は蓋体（４）の下面中央部にモーター（１２）によって駆動するローラー型送風扇（１３）を、取り付け枠（１４）を介して設ける。また、蓋体（４）下面中央部には、送風扇（１３）からの流気（１５）を便座（３）部に向ける整流プレート（１６）を設ける。
なお、便座が加温式の場合は乾燥用送風機構（    ）は必要ないものである。
【発明の効果】
【００１０】この発明は、上述のように洋式便器の蓋体下面周側に消毒剤、洗浄剤噴出機構を備えることにより、公設トイレや社屋のトイレなど不特定多数の者が使用するトイレなどにおいても、常に便座を清潔に保つことが出来るので衛生的である。
【図面の簡単な説明】
【図１】は、この発明の蓋体を使用した洋式便器の一部断面図、
【図２】は蓋体に取り付けた送風機構部の一部断面図である。
【符号の説明】
（４）洋式便器の蓋体本体、（６）消毒剤噴射機構、（８）洗浄剤噴射機構
【図１】
2005261880.tif 000003
【図２】
2005261880.tif 000004